(57)【要約】【課題】上り通信のスループットを向上させる。【解決手段】移動局が上りデータ送信を行なうのに基地局の許可が不要な第１のモードと、移動局が上りデータ送信を行なうのに基地局の許可が必要な第２のモードとのいずれかを、移動局と基地局との間の通信状態に基づいて選択し、前記第１のモードで動作中に移動局と基地局との間の上りデータを受信したか否かを監視し、前記受信した上りデータに基づいて、上りデータ送信時の送信タイミングを前記移動局へ通知する。【選択図】図１１
2010213337.tif 000002
【特許請求の範囲】
【請求項１】
少なくとも１つの移動局と、当該移動局と無線により通信を行なう基地局とをそなえた移動通信システムにおいて、
前記移動局が、
前記移動局が上りデータ送信を行なうのに前記基地局の許可が不要な第１のモードと、前記移動局が上りデータ送信を行なうのに前記基地局の許可が必要な第２のモードとのいずれかを、前記移動局と前記基地局との間の通信状態に基づいて選択する選択部をそなえ、
前記基地局が、
前記第１のモードで動作中に前記移動局と前記基地局との間の上りデータを受信したか否かを監視する監視部と、
上りデータ送信時の送信タイミングに関する情報を、前記受信した上りデータに基づいて前記移動局へ送信する送信部と、をそなえた、
ことを特徴とする、移動通信システム。
【請求項２】
少なくとも１つの移動局と、当該移動局と無線により通信を行なう基地局とをそなえた移動通信システムにおける通信方法であって、
前記移動局が上りデータ送信を行なうのに前記基地局の許可が不要な第１のモードと、前記移動局が上りデータ送信を行なうのに前記基地局の許可が必要な第２のモードとのいずれかを、前記移動局と前記基地局との間の通信状態に基づいて選択し、
前記第１のモードで動作中に前記移動局と前記基地局との間の上りデータを受信したか否かを監視し、
前記受信した上りデータに基づいて、上りデータ送信時の送信タイミングを前記移動局へ通知する、
ことを特徴とする、移動通信システムにおける通信方法。
【請求項３】
少なくとも１つの移動局と、当該移動局と無線により通信を行なう基地局とをそなえた移動通信システムにおける前記基地局であって、
前記基地局は、前記移動局が上りデータ送信を行なうのに前記基地局の許可が不要な第１のモードと、前記移動局が上りデータ送信を行なうのに前記基地局の許可が必要な第２のモードとのいずれかで動作可能であり、さらに、
前記基地局が、
前記第１のモードで動作中に前記移動局と前記基地局との間の上りデータを受信したか否かを監視する監視部と、
上りデータ送信時の送信タイミングに関する情報を、前記受信した上りデータに基づいて前記移動局へ送信する送信部と、をそなえた、
ことを特徴とする、移動通信システムにおける基地局。
【請求項４】
少なくとも１つの移動局と、当該移動局と無線により通信を行なう基地局とをそなえた移動通信システムにおける前記移動局であって、
前記移動局が上りデータ送信を行なうのに前記基地局の許可が不要な第１のモードと、前記移動局が上りデータ送信を行なうのに前記基地局の許可が必要な第２のモードとのいずれかを、前記移動局と前記基地局との間の通信状態に基づいて選択する選択部と、
前記基地局が受信した上りデータに基づいて送信した、上りデータ送信時の送信タイミングに関する情報を前記基地局から受信する受信部と、をそなえた、
ことを特徴とする、移動通信システムにおける移動局。
【請求項５】
前記送信タイミングを用いて、ユーザ識別のための情報を含む上りデータを前記基地局に送信する送信部をそなえた、
ことを特徴とする、請求項４記載の移動通信システムにおける移動局。
【発明の詳細な説明】
【技術分野】
【０００１】
本発明は、移動通信システム並びに同システムにおける通信方法，基地局及び移動局に関する。
【背景技術】
【０００２】
現在、3GPP（3rd Generation Partnership Project）では、第３世代移動通信システムの１つの方式であるW-CDMA（Wideband-Code Division Multiple Access）方式の標準化が進められている。そして、標準化のテーマの１つとして基地局から移動局への下り方向（ダウンリンク）の大容量高速パケットデータ転送（最大約１４Ｍｂｐｓ）を提供するHSDPA（High Speed Downlink Packet Access）方式が規定されている。また、移動局から基地局への上り方向（アップリンク）のHSDPAといえるHSUPA (High Speed Uplink Packet Access)の検討も行なわれている（例えば、下記の非特許文献１参照）。
【０００３】
これらの高速データ伝送では、データパケットを効率良く送出するためのデータ送出スケジューリングが重要になる。HSUPAにおいては、スケジューリングは受信品質やデータのバッファ残量、優先度などの情報を基に決定される。これらの情報はスケジューリング情報（ＳＩ：Scheduling Information）として、上り送信要求として移動局から基地局に対して、上り送信に先駆けて通知される。
【先行技術文献】
【非特許文献】
【０００４】
【非特許文献１】3rd Generation Partnership Project (3GPP); Technical Specification Group Radio Access Network;, "TS 25.309 V6.2.0 (2005-03) FDD Enhanced Uplink Overall description Stage 2 (Release 6)"
【発明の概要】
【発明が解決しようとする課題】
【０００５】
現在の3GPP仕様では、HSUPAによる通信の実行は個別無線チャネルの確立後に行なわれ、端末の発呼から呼設定、HSUPAの適用までは従来通りの手順が適用される。したがって、端末でのデータ送信要求から実際にデータが送信されるまでに遅延が発生する。
例えば図２５に示すように、移動局（UE：User Equipment）１００は、まず、ランダムアクセス方法により、基地局（BTS：Base Transceiver Station）２００に対してアクセス要求を行ない（ステップＳ１００）、これに対する応答が基地局２００から受信されると（ステップＳ２００）、個別無線チャネルの確立を基地局２００に対して行なう（ステップＳ３００）。このチャネル確立要求に対する応答が移動局１００で受信されると（ステップＳ４００）、移動局１００は、送信レート要求を基地局２００に対して行ない（ステップＳ５００）、この要求に対する応答としてレート割当が基地局２００からなされると（ステップＳ６００）、移動局１００は、はじめて送信すべきデータの送信を開始する（ステップＳ７００，Ｓ９００）。なお、送信データが基地局２００で正常に受信された場合はACKが、そうでない場合はNACKが移動局１００へ返送され（ステップＳ８００）、NACKを受信した場合、移動局１００は再送を行なうことになる。
【０００６】
データ速度が遅い場合には、このような実際の上りデータ送信までの事前のネゴシエーションによる遅延は目立たないが、データ速度の高速化とともに大きな問題となる。また、無線による常時接続（Always on）の実現の際にも、接続遅延はできるだけ小さいことが望ましい。
本発明は、このような課題に鑑み創案されたもので、実際の上りデータ送信までの事前のネゴシエーションによる遅延を極力抑えて、効率的な上りデータ送信、つまり、上り通信のスループット向上を可能にすることを目的とする。
【課題を解決するための手段】
【０００７】
（１）第１の案として、少なくとも１つの移動局と、当該移動局と無線により通信を行なう基地局とをそなえた移動通信システムにおいて、前記移動局が、前記移動局が上りデータ送信を行なうのに前記基地局の許可が不要な第１のモードと、前記移動局が上りデータ送信を行なうのに前記基地局の許可が必要な第２のモードとのいずれかを、前記移動局と前記基地局との間の通信状態に基づいて選択する選択部をそなえ、前記基地局が、前記第１のモードで動作中に前記移動局と前記基地局との間の上りデータを受信したか否かを監視する監視部と、上りデータ送信時の送信タイミングに関する情報を、前記受信した上りデータに基づいて前記移動局へ送信する送信部とをそなえた、移動通信システムを用いることができる。
【０００８】
（２）また、第２の案として、少なくとも１つの移動局と、当該移動局と無線により通信を行なう基地局とをそなえた移動通信システムにおける通信方法であって、前記移動局が上りデータ送信を行なうのに前記基地局の許可が不要な第１のモードと、前記移動局が上りデータ送信を行なうのに前記基地局の許可が必要な第２のモードとのいずれかを、前記移動局と前記基地局との間の通信状態に基づいて選択し、前記第１のモードで動作中に前記移動局と前記基地局との間の上りデータを受信したか否かを監視し、前記受信した上りデータに基づいて、上りデータ送信時の送信タイミングを前記移動局へ通知する、移動通信システムにおける通信方法を用いることができる。
【０００９】
（３）さらに、第３の案として、少なくとも１つの移動局と、当該移動局と無線により通信を行なう基地局とをそなえた移動通信システムにおける前記基地局であって、前記基地局は、前記移動局が上りデータ送信を行なうのに前記基地局の許可が不要な第１のモードと、前記移動局が上りデータ送信を行なうのに前記基地局の許可が必要な第２のモードとのいずれかで動作可能であり、さらに、前記基地局が、前記第１のモードで動作中に前記移動局と前記基地局との間の上りデータを受信したか否かを監視する監視部と、上りデータ送信時の送信タイミングに関する情報を、前記受信した上りデータに基づいて前記移動局へ送信する送信部と、をそなえた、移動通信システムにおける基地局を用いることができる。
【００１０】
（４）また、第４の案として、少なくとも１つの移動局と、当該移動局と無線により通信を行なう基地局とをそなえた移動通信システムにおける前記移動局であって、前記移動局が上りデータ送信を行なうのに前記基地局の許可が不要な第１のモードと、前記移動局が上りデータ送信を行なうのに前記基地局の許可が必要な第２のモードとのいずれかを、前記移動局と前記基地局との間の通信状態に基づいて選択する選択部と、前記基地局が受信した上りデータに基づいて送信した、上りデータ送信時の送信タイミングに関する情報を前記基地局から受信する受信部とをそなえた、移動通信システムにおける移動局を用いることができる。
【発明の効果】
【００１１】
上記本発明によれば、効率的なデータ送信が実現可能となり、呼設定時の遅延の短縮やスループットの改善が期待できる。
【図面の簡単な説明】
【００１２】
【図１】本発明の第１実施形態に係る移動通信システムの構成要素である無線移動局の構成を示すブロック図である。
【図２】本発明の第１実施形態に係る移動通信システムの構成要素である無線基地局の構成を示すブロック図である。
【図３】第１実施形態に係る移動通信システムの動作（上り通信方法）を説明するためのシーケンス図である。
【図４】第１実施形態に係る上り送信要求のフレーム構成を示す図である。
【図５】本発明の第２実施形態に係る移動通信システムの構成要素である無線移動局の構成を示すブロック図である。
【図６】本発明の第２実施形態に係る移動通信システムの構成要素である無線基地局の構成を示すブロック図である。
【図７】第２実施形態に係る移動通信システムの動作（上り通信方法）を説明するためのシーケンス図である。
【図８】第２実施形態に係るランダムアクセス信号のフレーム構成を示す図である。
【図９】第２実施形態の変形例に係る移動通信システムの動作（上り通信方法）を説明するためのシーケンス図である。
【図１０】第２実施形態に係る下り信号のフレーム構成を示す図である。
【図１１】本発明の第３実施形態に係る移動通信システムにおける基地局の動作を説明するためのフローチャートである。
【図１２】第３実施形態の第１変形例に係る上り通信方法を説明するためのシーケンス図である。
【図１３】第３実施形態の第２変形例に係る上り通信方法を説明するためのシーケンス図である。
【図１４】第３実施形態の第４変形例に係るデータパケット構成を示す図である。
【図１５】図１４に示すユーザ識別部の構成（時間分割多重）を示す図である。
【図１６】図１４に示すユーザ識別部の構成（周波数分割多重）を示す図である。
【図１７】図１４に示すユーザ識別部の構成（符号分割多重）を示す図である。
【図１８】第３実施形態の第６変形例の第１態様に係る移動局でのデータ部符号化方法を説明するための図である。
【図１９】図１８に示す移動局に対応する基地局の構成を示すブロック図である。
【図２０】第３実施形態の第６変形例の第２態様に係る移動局でのデータ部符号化方法を説明するための図である。
【図２１】図２０に示す移動局に対応する基地局の構成を示すブロック図である。
【図２２】図１９に示す基地局の動作を説明するためのフローチャートである。
【図２３】図２１に示す基地局の動作を説明するためのフローチャートである。
【図２４】図１９又は図２１に示す基地局に対応する移動局での動作を説明するためのフローチャートである。
【図２５】従来の上りパケット送信手順を説明するためのシーケンス図である。
【発明を実施するための形態】
【００１３】
〔Ａ〕第１実施形態の説明
図１は本発明の第１実施形態に係る移動通信システムの構成要素である無線移動局の構成を示すブロック図であり、図２は同システムの構成要素である無線基地局の構成を示すブロック図で、図１に示す無線移動局（以下、単に「移動局」という）１は、図２に示す無線基地局（以下、単に「基地局」という）２に無線によりアクセスして通信を行なうようになっている。このとき、基地局２から移動局１へのダウンリンク（下り）の通信は例えばHSDPA方式により行なわれ、移動局１から基地局２へのアップリンク（上り）の通信は例えばHSUPA方式によって行なわれる。なお、上記移動通信システムは、図１に示す移動局１及び図２に示す基地局２をそれぞれ１台以上そなえている。
【００１４】
そして、図１に示すように、移動局１は、その要部に着目すると、例えば、データキュー１０，ACK/NACK/DTX判定部１１，再送バッファ１２，タイマ１３，送信機１４，受信機１５，復調部１６及びスケジューリング情報送信部１７をそなえて構成され、基地局２は、その要部に着目すると、例えば図２に示すように、受信機２０，CRC確認及びACK/NACK判定部２１，ＳＩ分離部２２，スケジューラ２３及び送信機２４をそなえて構成されている。
【００１５】
ここで、図１の移動局１において、データキュー１０は、送信待ちのデータパケット（上り信号）を保持しておくものであり、ACK/NACK/DTX判定部（以下、単に「判定部」ともいう）１１は、復調部１６でのデータ復調により基地局２からACK又はNACKを受信したか、あるいは、基地局２からデータパケット（下り信号）を受信していない（DTX）状態かを判定するもので、ACKの受信を確認するとデータキュー１０から送信待ちのデータパケットを取り出して送信機１４へ出力し、NACKの受信を確認すると再送バッファ１２から送信済みの対象データパケットを取り出して送信機１４へ出力するようになっている。
【００１６】
タイマ１３は、送信機１４へのデータパケットの転送後、つまり、基地局２へのデータパケット送信後の所定時間を計時するもので、当該所定時間を経過してもACK又はNACKの受信が上記判定部１１で確認されない場合でも、ACK又はNACKの受信待機を終了して送信処理を次に進めるためのトリガを判定部１１に与えるためのものである。
送信機１４は、判定部１１からのアップリンクの送信データパケットを無線により基地局２へ向けて送信するもので、送信データパケットの変調、拡散、無線周波数へのアップコンバート等の所要の無線送信処理機能を具備している。
【００１７】
受信機１５は、基地局２から無線により送信されてくる無線周波数のデータパケットを受信して、中間周波数（IF）帯及びベースバンド帯へのダウンコンバート等の所要の無線受信処理機能を具備するものであり、復調部１６は、受信機１５からの受信ベースバンド信号について基地局２での送信変調方式、例えば、QPSK（Quadrature Phase Shift Keying）、あるいは、１６値QAM（Quadrature Amplitude Modulation）に応じた所要の復調処理を施すものである。
【００１８】
スケジューリング情報送信部１７は、基地局２に対する送信レートの割当要求などのスケジューリング情報（ＳＩ）（基地局２から送信許可を得るための送信要求）を送信機１４経由で基地局２へ送信するためのもので、本例では、例えば図４に示すように、上記スケジューリング情報に基地局２への上りデータ（送信ユーザデータ）を相乗り（付加）させた信号（データパケット）を生成して送信し得るようになっている。つまり、上記送信機１４は、基地局２から送信許可を得るべく基地局２へ送信要求を送信する送信手段としての機能を有し、スケジューリング情報送信部１７は、上記送信要求に上りデータを付加する上りデータ付加手段として機能するのである。
【００１９】
一方、図２に示す基地局２において、受信機２０は、移動局１から送信されてくる無線周波数のデータパケットを受信して、中間周波数（IF）帯及びベースバンド帯へのダウンコンバート、QPSK又は１６値QAMによる復調処理等の所要の無線受信処理機能を具備するものであり、CRC確認及びACK/NACK判定部２１は、受信機２０からの受信ベースバンド信号についてCRCの確認を行なってACK/NACK判定を行なうもので、具体的には、CRC確認の結果が正常ならACKを、異常ならNACKを生成するようになっている。
【００２０】
ＳＩ分離部２２は、上記受信ベースバンド信号から前記スケジューリング情報を分離して抽出するものであり、スケジューラ２３は、ダウンリンク（移動局１宛）のデータパケットの送出スケジューリングを行なうもので、例えば、データパケットの受信品質やバッファ残量、優先度などの情報を基に決定するようになっている。
送信機２４は、ダウンリンクの送信データパケットを無線により送信するもので、送信データパケットの変調、拡散、無線周波数へのアップコンバート等の所要の無線送信処理機能を具備している。
【００２１】
以下、上述のごとく構成された本実施形態の移動通信システムの動作について、図３を参照しながら説明する。
まず、HSUPA実行の際には、移動局（UE）１は、データ送信開始の際に、シグネチャ（移動局１を識別するための情報）を含んだランダムアクセス信号を、共通チャネルを通じてアップリンクのデータパケットにより基地局（BTS）２へ送信する（ステップＳ１）。基地局２は、このランダムアクセス信号を受信すると、その応答を移動局１宛に送信する（ステップＳ２）。これにより、移動局１と基地局２との間の共通チャネル上に通信路が設定される。
【００２２】
移動局１は、上記応答を受信すると、基地局２に対して個別チャネルの設定（確立）を要求すべく、図４により前述したごとく、上り送信ユーザデータにスケジューリング情報（送信レート割当要求）を相乗り（付加）させた信号（データパケット）を生成して上記共通チャネル上に設定された通信路経由で基地局２へ送信する（ステップＳ３）。基地局２は、上記送信レート割当要求を受信すると、要求されたレートの割当が可能か否かを判断し、可能なら送信レート割当応答としてその旨を移動局１へ返送する（ステップＳ４）。
【００２３】
移動局１は、基地局２からの上記送信レート割当応答を受信すると、基地局２との個別チャネルが確立して上りデータパケットの送信準備が完了したことになり、割り当てられた個別チャネル及びレートで上りデータパケットの送信を開始する（ステップＳ５）。なお、基地局２が要求されたレート割当が不可能と判断した場合は、例えば、その時点で割当可能な最大レートを基地局２は移動局１に対して割り当てることができる。
【００２４】
このように、本例のシステムでは、移動局１が基地局２に対して送信レート要求を送信する際に、アップリンクのデータパケットを相乗り（付加）させて送信するので、従来技術と比較してデータ送信開始までの手順を短縮することができ、呼設定時間を短縮してデータ送信開始までの遅延を少なくすることができる。この場合、相乗りさせられるデータ量は個別チャネルの伝送レートに依存するため、通常の上りパケット送信よりも低い伝送レートとなるものの、データ送信開始までの時間を短縮できるので、スループットの向上が期待できる。
【００２５】
〔Ｂ〕第２実施形態の説明
図５は本発明の第２実施形態に係る移動通信システムの構成要素である無線移動局の構成を示すブロック図であり、図６は同システムの構成要素である無線基地局の構成を示すブロック図で、図５に示す移動局１も、図６に示す基地局２に無線によりアクセスして通信を行なえるようになっており、この場合も、基地局２から移動局１へのダウンリンク（下り）の通信は例えばHSDPA方式により行なわれ、移動局１から基地局２へのアップリンク（上り）の通信は例えばHSUPA方式によって行なわれる。
【００２６】
そして、図５に示す移動局１は、図１に示すものに比して、シグネチャ生成部１８が付加されている点が異なり、図６に示す基地局２は、図２に示すものに比して、シグネチャ分離部２５が付加されている点が異なる。
ここで、移動局１のシグネチャ生成部１８は、データ送信開始の際に基地局２へ共通チャネルを用いて送信すべきランダムアクセス信号（基地局２へ送信要求であるスケジューリング情報を送信するための個別チャネルのチャネル確立要求）に含める物理レイヤ情報としてのシグネチャ（移動局１を識別するための情報）を生成するもので、本例では、例えば図８に示すように、生成したシグネチャにアップリンクのユーザデータを相乗り（付加）させた信号（データパケット）を送信機１４から送信できるようになっている。
【００２７】
つまり、この場合、シグネチャ生成部１８及び送信機１４は、上記チャネル確立要求を送信する送信手段としての機能と、上記チャネル確立要求に上りデータを付加する上りデータ付加手段としての機能とを果たすことになる。なお、シグネチャ生成部１８は、ランダムアクセス信号以外の上りデータ送信には用いられない（動作しない）。
一方、基地局２のシグネチャ分離部２５は、受信機２０で受信されたデータパケットから上記シグネチャを分離して抽出するもので、当該シグネチャから受信データパケットを送信した移動局１が特定されて当該移動局１宛に上記ランダムアクセス信号に対する応答が送信機２４から返送されるようになっている。
【００２８】
上述のごとく構成された本例の移動通信システムの動作について、図７を参照しながら説明すると、HSUPA実行の際、移動局（UE）１は、データ送信開始時に、シグネチャを含んだランダムアクセス信号に上りデータ（ユーザデータ）を相乗りさせた信号（図８参照）を生成して基地局（BTS）２へ共通チャネルを用いて送信する（ステップＳ１１）。基地局２は、この信号を受信すると、シグネチャ分離部２５によりシグネチャを分離して抽出し、そのシグネチャを基に上記ランダムアクセス信号を送信してきた移動局１を特定して、上記ランダムアクセス信号に対する応答を移動局１宛に送信する（ステップＳ１２）。これにより、移動局１と基地局２との間の共通チャネル上に通信路が設定される。
【００２９】
以降は図３と同様に、移動局１は、この応答を受信すると、個別チャネルの確立（設定）を要求すべく、送信ユーザデータにスケジューリング情報（送信レート割当要求）を相乗りさせた信号（データパケット）生成して基地局２へ共通チャネルにより送信し（ステップＳ１３）、基地局２は、送信レート割当応答を移動局１へ返送し（ステップＳ１４）、移動局１は、この送信レート割当応答により割り当てられたレートで上りデータパケットを送信する（ステップＳ１５）。
【００３０】
このように、本例では、移動局１から基地局２へのランダムアクセス信号にも上りデータ（ユーザデータ）を相乗りさせて送信するので、上述した第１実施形態の場合よりもさらに初期送信までの遅延を少なくすることが可能となる。なお、ランダムアクセスに用いるチャネルは通常は共通チャネルであり、一般的に個別チャネルよりも伝送レートが低いため、あまり多くのユーザデータを相乗りさせることはできないが、少なくとも第１実施形態よりも初期送信までの遅延を少なくできるので、さらなるスループットの向上が期待できる。
【００３１】
なお、本例では、基地局２へのランダムアクセス信号及び送信レート要求（スケジューリング情報）の双方に上りデータを相乗りさせているが、ランダムアクセス信号についてのみ上りデータを相乗りさせるようにしてもよい。この場合でも、従来技術よりも実際の上りデータ送信開始までの時間を短縮できるので、スループットの向上が期待できる。
（Ｂ１）第２実施形態の変形例の説明
上述した第２実施形態において、基地局２は、移動局１からのアップリンクのパケット送信に対するACK/NACKとともに、次の上り送信の可否（送信レートの割当許可／不許可）を相乗りさせて移動局１に通知することもできる。即ち、基地局２の送信機２４は、例えば図１０に示すように、移動局１へ送信すべきACK/NACKの情報に送信レートの割当許可又は不許可の情報を相乗り（付加）させた信号（データパケット）を生成して送信することができる（図９のステップＳ１４′）。
【００３２】
つまり、本例の送信機２４は、移動局１からの上りデータパケットを正常に受信したか否かを示す応答情報（ACK/NACK）を移動局１へ送信する応答情報送信手段として機能し、スケジューラ２３が、当該応答情報に移動局１からの送信要求に対する送信可否の通知情報を付加する通知情報付加手段として機能するのである。なお、図９において他の手順は図７と同一若しくは同様である。
【００３３】
このようにすることで、ダウンリンク送信の手順を簡略化することができる。即ち、従来はACK/NACKとアップリンクの送信レートの割当許可／不許可とは独立した無線チャネル、例えば、HSUPAでは、ACK/NACKはE-HICH〔E-DCH（Enhanced-Dedicated CHannel) HARQ（Hybrid Automatic Repeat reQuest）Acknowledgement Indicator Channel〕で、割当許可／不許可はE-AGCH（E-DCH Absolute Grant Channel）またはE-RGCH（E-DCH Relative Grant Channel）により行なうものと規定されているが、同じチャネルで同時期にACK/NACK及び送信レートの割当許可／不許可を移動局１に通知することが可能となる。したがって、データ送信開始までの時間を短縮して、スループットの向上を図ることができる。
【００３４】
なお、本例は第１実施形態に適用することも勿論可能である。
〔Ｃ〕第３実施形態の説明
上述した各実施形態における基地局２は、アップリンクのトラヒック量や干渉量などから上り通信状態を監視（測定）して、そのトラヒック量や干渉量がある一定量（基準値）よりも少ない場合には、各移動局１にその旨を報知し、事前の許可無く上り送信を可能とするようにしてもよい。
【００３５】
即ち、例えば図１１に示すように、基地局２は、アップリンクのトラヒック量や干渉量などを基に上り通信状態を監視し（ステップＳ２１）、そのトラヒック量や干渉量がある一定量（基準値）以下か否かを判定する（ステップＳ２２）。その結果、基準値以下なら、基地局２は、上り通信状態が良好であると判断して、移動局１に対して上りデータ送信開始に事前の許可が不要であることを通知し（ステップＳ２２のＹｅｓルートからステップＳ２３）、基準値を超えている場合は上り通信状態が良好でないと判断して、移動局１に対して、通常どおり上りデータ送信時に事前の許可が必要であることを通知する（ステップＳ２２のＮｏルートからステップＳ２４）。
【００３６】
つまり、基地局２は、上りデータ送信を事前の許可無く送信できるモード（第１のモード）と、許可を得てから送信できるモード（第２のモード）とを選択的に切り替えて使用することができる。なお、かかる機能は、例えば既述のスケジューラ２３にもたせることができる。この場合、スケジューラ２３は、以下の機能を有することになる。
(1)上記ステップＳ２１を実行することにより、移動局１との間の上り通信状態を監視する上り通信状態監視手段２３１としての機能
(2)上記ステップＳ２２を実行することにより、前記上り通信状態監視手段２３１により監視された上り通信状態が一定品質以上であるか否かを判定する判定手段２３２としての機能
(3)上記ステップＳ２３，Ｓ２４を選択的に実行することにより、前記判定手段２３２で上り通信状態が一定品質以上であると判定されると、前記第１のモードを動作モードとして選択し、前記判定手段２３２で上り通信状態が一定品質未満であると判定されると、前記第２のモードを動作モードとして選択するモード選択手段２３３としての機能
このようにすることで、上り通信状態が良好な状態においては、上りデータ送信に必要な手順を不要にすることができ、データ送信までの遅延をなくして大幅なスループットの向上を図ることができる。
【００３７】
（Ｃ１）第３実施形態の第１変形例の説明
ところで、複数の移動局１が上述のごとく基地局２から事前の許可無く送信できるモードの通知を受けて、事前の許可無く上りパケット送信を行なう場合においては、複数の移動局１による上り送信（データパケット）が衝突する場合がある。このような場合は、衝突したデータパケットは基地局２において破棄される。このとき、通常、移動局１は、ランダムな時間だけ待機した後に再送信を行なう。このようにすることで、再送信の際の衝突の確率を低くすることができるが、再送信までの遅延が大きくなってしまう可能性がある。
【００３８】
そこで、本例においては、基地局２は衝突の発生したパケットについて、同時送信した複数の移動局１の識別が可能であった場合に、それらの移動局１に対して再送を要求する。即ち、例えば図１２に示すように、移動局１−１，１−２のそれぞれが同時期に上りデータ送信を行なって（ステップＳ３１）、基地局２において衝突が発生したとする。ただし、各移動局１−１，１−２は、上りデータ送信を図８により前述したごとくシグネチャを含むフレームフォーマットで行なう。
【００３９】
基地局２は、衝突の発生したデータパケットについて上記シグネチャから各移動局１−１，１−２を識別可能であった場合、それらの移動局１−１，１−２に対してタイミングをずらして再送要求を行なう（ステップＳ３２，Ｓ３３）。これにより、移動局１−１，１−２は、それぞれ、異なるタイミングで上りデータ送信の再送を行なう（ステップＳ３４，Ｓ３５）。
【００４０】
以上の動作は、例えば、基地局２において、前記スケジューラ２３が、前記第１のモードで動作中に、２以上の移動局１からの上りデータ送信の衝突が発生したか否かを監視する上りデータ衝突監視手段として機能し、前記送信機２４が、この上りデータ衝突監視手段により前記衝突の発生が確認されると、衝突の発生した上りデータ送信元の各移動局１に対して上りデータ送信の再送タイミングを通知する再送タイミング通知手段として機能することにより実現される。
【００４１】
このようにすることで、上りデータ送信の遅延を最小限に抑え、かつ、上りデータ再送時の衝突を確実に回避することが可能となる。
（Ｃ２）第３実施形態の第２変形例の説明
なお、上述のごとく移動局１−１，１−２からの再送を基地局２が待つ間に、他の移動局からの送信を禁止するために、基地局２は、ビジー信号を報知するのが好ましい。即ち、例えば図１３に示すように、図１２により上述したごとく移動局１−１，１−２の上り送信データパケットの衝突発生により基地局２が移動局１−１，１−２に対して再送要求を行なう場合（ステップＳ３２，Ｓ３３）、基地局２は、移動局１−１，１−２からの再送（ステップＳ３４，Ｓ３５）があるまで（あるいは、再送が予測される期間）、例えば共通チャネルを用いてビジー信号を報知する（ステップＳ３６）。
【００４２】
つまり、本例の基地局２は、上記再送タイミング通知手段としての送信機２４による再送タイミングの通知によって移動局１から上りデータ送信の再送が予測される一定期間、セル内の各移動局１に対してビジー状態を報知するビジー状態報知手段としての機能を有しており、この機能も、例えば、スケジューラ２３の一機能としてもたせることができる。
【００４３】
さて、他の移動局１−３は、上記ビジー信号を受信している間は、上りデータ送信を待機し、基地局２によるビジー信号の送信が解除されてビジー信号が受信されなくなってから上りデータ送信を開始する（ステップＳ３７）。このようにすることで、上り送信データパケットの衝突確率をさらに抑えることが可能となる。
（Ｃ３）第３実施形態の第３変形例の説明
ここで、上記の移動局１−１，１−２，１−３（以下、区別しない場合は、移動局１と表記する）及び基地局２がそれぞれ送信するデータパケット長は固定長とするのが好ましい。このようにすることで、移動局１は、基地局２において上りデータ送信が衝突した場合に、どのようなタイミングで再送を行なうかを容易に認識することが可能となる。
【００４４】
（Ｃ４）第３実施形態の第４変形例の説明
また、移動局１が送信するデータパケットは、例えば図１４に示すように、ユーザを識別するためのユーザ識別部５と、メッセージ本体であるデータ部６とを有している。つまり、移動局１は、２以上の各移動局１を識別するためのユーザ識別部５と、メッセージ本体であるデータ部６とを有する上りデータパケットを生成する上りデータ生成手段としての機能と、この上りデータ生成手段により生成した上りデータを基地局２へ送信する上りデータ送信手段としての機能を有しており、これらの機能は例えば前記送信機１４の一機能として実現される。また、この場合、移動局１は、例えば、ユーザ識別部５についてはデータ部６よりも強力な誤り訂正処理を施すことができる。
【００４５】
このようにすることで、上述したごとく基地局２において複数の移動局１からの上りデータパケットが衝突しても、基地局２は、少なくともユーザ識別部５の情報だけは復号できる可能性が高くなり、データ部６の情報は復号できなくても、どの移動局１からのパケットが衝突したのかを判定することが可能となる。
（Ｃ５）第３実施形態の第５変形例の説明
さらに、上記のユーザ識別部５は、複数の移動局１−１〜１−ｎ（ｎは２以上の整数）別に、例えば図１５に示すごとく時間軸方向に短く区切って時間分割多重（ＴＤＭ：Time Division Multiplex）、または図１６に示すごとく周波数方向に区切って周波数分割多重（ＯＦＤＭ：Orthogonal Frequency Division Multiplex）、あるいは図１７に示すごとく符号分割多重（ＣＤＭ：Code Division Multiplex）するようにしてもよい。このようにすることで、複数の移動局１からの上りデータパケットの衝突が発生しても、基地局２は、少なくともユーザ識別部５の情報だけは復号できる可能性が高くなり、どの移動局１からの上りデータパケットが衝突したのかを判定することが可能となる。
【００４６】
（Ｃ６）第３実施形態の第６変形例の説明
次に、複数の移動局１からのデータパケットの衝突が発生し、基地局２において上記ユーザ識別部５の情報から複数の移動局１（ユーザ）が識別でき、かつ、１つのデータ部６の情報が正常に復号できた場合に、そのデータ部６がどのユーザ（移動局１）に対応するのかを判定できるようにする方法について説明する。
【００４７】
（Ｃ６．１）第６変形例の第１態様
本例においては、例えば図１８に示すように、移動局１（送信機１４：図１，図５参照）は、ユーザ識別部５の情報（ユーザ識別情報）でデータ部６に格納すべきメッセージを符号化（乗算器（符号化手段）１４１で乗算あるいは排他的論理和演算など）し、その符号化情報をデータ部６に格納する。なお、ユーザ識別部５には、上記ユーザ識別情報と変調信号とを乗算器１４２で乗じた信号を格納する。このようにすると、データ部６のデータ量をあまり減少させることなくユーザ識別情報をデータ部６に含める（重畳する）ことが可能となる。
【００４８】
このような符号化を行なった場合、データ部の復号（再生）のためにはユーザ識別情報が必要となるため、受信側（基地局２）では、ユーザ識別部５から先に復号する必要がある。そのため、この場合、基地局２には、例えば図１９に示すように、受信機（受信手段）２０の出力（受信上りデータパケット）からユーザ識別部５とデータ部６とを分離するデータ部分離部２６と、このデータ部分離部２６で分離されたユーザ識別部５の情報とデータ部６の情報とを乗じてデータ部６の情報（メッセージ本体）を復号（再生）する乗算器２７とがそなえられる。なお、この図１９において、既述の符号と同一符号を付したものは、特に断らない限り、既述のものと同一若しくは同様のものである。
【００４９】
これにより、基地局２は、ユーザ識別部５を先に復号し、復号した情報を用いてデータ部６の情報を復号することができる。したがって、複数の移動局１からのデータパケットの衝突が発生したが、上記ユーザ識別部５の情報を正しく復号することができて複数の移動局１（ユーザ）が識別でき、かつ、１つのデータ部６の情報が正常に復号できた場合に、そのデータ部６がどのユーザ（移動局１）に対応するのかを判別することが可能となる。その結果、前述した再送要求やACK/NACKを送信すべき移動局１を特定することが可能となる。
【００５０】
（Ｃ６．２）第６変形例の第２態様
なお、移動局１（送信機１４）は、例えば図２０に示すように、ユーザ識別情報をそのままデータ部６の一部として含める（挿入する）ようにしてもよい。つまり、この場合、送信機１４は、データ部６にユーザ識別部５の情報を挿入する挿入手段としての機能を有する。このようにすれば、受信側（基地局２）でデータ部６から復号すれば簡単にユーザ識別情報を取り出すことが可能となる。この場合、基地局２には、例えば図２１に示すように、既述のデータ部分離部２６の他に、データ部分離部２６で分離されたデータ部６からユーザ識別情報を分離するユーザ識別情報分離部２８と、このユーザ識別情報分離部２８で分離されたユーザ識別情報とデータ部分離部２６で分離されたユーザ識別情報とを比較する比較部２９とがそなえられる。
【００５１】
これにより、基地局２では、受信機（受信手段）２０の出力（受信上りデータパケット）からデータ部分離部２６にてユーザ識別部５とデータ部６とが分離され、ユーザ識別情報分離部２８にてデータ部６に含まれるユーザ識別情報がさらに分離されて、データ部分離部２６で分離されたユーザ識別情報と比較部２９にて比較される。この比較結果（一致／不一致）により、基地局２は、データ部６の情報がどのユーザ（移動局１）からのものかを判別することが可能となり、この場合も、その結果として、前述した再送要求やACK/NACKを送信すべき移動局１を特定することが可能となる。
【００５２】
（Ｃ７）第３実施形態の第７変形例の説明
具体的に、基地局２は、ユーザ識別部５及び当該ユーザ識別部５に対応するデータ部６が正しく受信・復号できた場合にはACKを、ユーザ識別部５のみが正しく受信・復号できた場合にはNACKを、それぞれ移動局１に対して送信する。また、上記項目（Ｃ６）で述べた手法を採用する場合、基地局２は、データ部６のみを正常に受信・復号できた場合であっても、その中に含まれるユーザ識別情報によりユーザ識別が可能となるので、この場合もACKを移動局１に送信することになる。
【００５３】
ここで、基地局２は、ACK又はNACKを移動局１に対して送信する際に、次のスケジューリング情報を同時に（付加して）送信することができる。図２２に、上記項目（Ｃ６．１）で述べた手法を採用した場合の基地局２の動作を、図２３に、上記項目（Ｃ６．２）で述べた手法を採用した場合の基地局２の動作をそれぞれ示す。
（Ｃ７．１）第７変形例の第１態様
移動局１が上記項目（Ｃ６．１）で述べたようにデータ部６をユーザ識別情報で符号化してデータパケットを送信する場合、基地局２は、図２２に示すように、まず、先に述べたようにユーザ識別部５の復号を行ない（ステップＳ４１）、その後にデータ部６の復号を行なう（ステップＳ４２）。そして、CRC確認及びACK/NACK判定部２１により、CRC確認を行ない（ステップＳ４３）、その結果、ＯＫであれば（正しく復号できていれば）ACKを生成し（ステップＳ４４）、ＮＧであれば（正しく復号できていなければ）NACKを生成する（ステップＳ４５）。
【００５４】
次いで、基地局２は、スケジューラ２３において、当該移動局１へ送信すべきスケジューリング情報（次のデータ送信許可情報）があるか否かを確認し（ステップＳ４６）、送信すべきスケジューリング情報があれば、上記ACK又はNACKとともに当該スケジューリング情報を移動局１へ送信し（ステップＳ４６のＹｅｓルートからステップＳ４７）、送信すべきスケジューリング情報がなければ、上記ACK又はNACKをそのまま移動局１へ送信する（ステップＳ４６のＮｏルートからステップＳ４８）。
【００５５】
つまり、基地局２は、移動局１からの受信データパケット（ユーザ識別部５及びデータ部６）を正しく復号できたときは、復号したユーザ識別情報により特定（識別）される移動局１宛にACKとともに次の送信許可情報を当該移動局１へ送信し、ユーザ識別部５を正しく復号できたがデータ部６を正しく復号できなかったときは、復号したユーザ識別情報により特定（識別）される移動局１宛にNACKとともに次の送信許可情報を送信するのである。
【００５６】
換言すれば、本例の基地局２は、スケジューラ２３及び送信機２４によって、ユーザ識別部５及びデータ部６を正しく復号できれば、正常受信を示す応答情報ACKとともに次の上りデータ送信許可情報をユーザ識別部５の情報により特定される移動局１へ送信し、ユーザ識別部５を正しく復号できデータ部６を正しく復号できなければ、非正常受信を示す応答情報NACKとともに次の上りデータ送信許可情報をユーザ識別部５の情報により特定される移動局１へ送信する応答・送信許可送信手段としての機能が実現されている。
【００５７】
これにより、ACK又はNACKと、スケジューリング情報（次の送信許可情報）とを個別に移動局１に対して送信する場合に比して、上りデータ送信手順をさらに簡略化することができ、上りデータ送信の遅延を削減して、スループットのさらなる向上を図ることができる。
（Ｃ７．２）第７変形例の第２態様
一方、移動局１が上記項目（Ｃ６．２）で述べたようにデータ部６にユーザ識別情報を含めてデータパケットを送信する場合、基地局２は、図２３に示すように、まず、受信データパケットのユーザ識別部５とデータ部６とをデータ部分離部２６及びユーザ識別情報分離部２８（図２１参照）によって分離し（ステップＳ５１）、ユーザ識別情報を復号するとともに（ステップＳ５２）、CRC確認及びACK/NACK判定部２１にてCRC確認を行なう（ステップＳ５３）。
【００５８】
CRC確認結果がＯＫならｉ番目のユーザ識別情報とデータ部６に含まれていたユーザ識別情報とを比較部２９により比較して両者が一致するか否かを確認する（ステップＳ５４，Ｓ５５）。一致すれば、基地局２（CRC確認及びACK/NACK判定部２１）は、移動局１に対する応答として、ACKを生成し（ステップＳ５５のＹｅｓルートからステップＳ５６）、不一致であれば、NACKを生成する（ステップＳ５５のＮｏルートからステップＳ５７）。
【００５９】
そして、基地局２は、スケジューラ２３において、当該移動局１へ送信すべきスケジューリング情報（次のデータ送信許可情報）があるか否かを確認し（ステップＳ５８）、送信すべきスケジューリング情報があれば、上記ACK又はNACKとともに当該スケジューリング情報を移動局１へ送信し（ステップＳ５８のＹｅｓルートからステップＳ５８ａ）、送信すべきスケジューリング情報がなければ、上記ACK又はNACKをそのまま移動局１へ送信する（ステップＳ５８のＮｏルートからステップＳ５８ｂ）。
【００６０】
その後、基地局２は、復号されたすべてのユーザ（移動局１）の受信データパケット（パケット数＝Ｎ）について処理が終了したか否かを確認し（ｉ＜Ｎ？：ステップＳ５９）、終了していなければ、終了するまで（ステップＳ５９でＮｏと判定されるまで）、上記ｉの値を１つインクリメント（ｉ＝ｉ＋１）して（ステップＳ５９のＹｅｓルートからステップＳ６０）、ｉ＋１番目のユーザ識別情報及びデータ部について上記ステップＳ５４以降の処理を繰り返す。
【００６１】
つまり、本例の基地局２は、スケジューラ２３及び送信機２４によって、データ部６を正しく復号できれば、正常受信を示す応答情報ACKとともに次の上りデータ送信許可情報を、復号した情報（データ部６に含まれるユーザ識別情報）を基に特定される移動局１へ送信し、ユーザ識別部５を正しく復号できデータ部６を正しく復号できなければ、非正常受信を示す応答情報NACKとともに次の上りデータ送信許可情報をユーザ識別部５の情報により特定される移動局１へ送信する応答・送信許可送信手段としての機能が実現されていることになる。
【００６２】
このように、本例においても、ACK又はNACKと、スケジューリング情報（次の送信許可情報）とを個別に移動局１に対して送信する場合に比して、上りデータ送信手順をさらに簡略化することができ、上りデータ送信の遅延を削減して、スループットのさらなる向上を図ることができる。
（Ｃ８）第３実施形態の第８変形例の説明
さて、次に、項目（Ｃ７）により上述したごとく、基地局２が、ACK又はNACKとともにスケジューリング情報を送信する場合の、移動局１の動作について、図２４を参照しながら説明する。なお、この場合の移動局１の構成は図１と同様である。
【００６３】
図２４に示すように、送信スケジュール（つまり、送信すべきデータパケット）があるか否かを確認し（ステップＳ６１）、送信スケジュールがなければそのまま処理を終了するが（ステップＳ６１のＮｏルート）、送信スケジュールがあれば、データキュー１０から次の（新規の）データパケットを取り出して（ステップＳ６２）、当該データパケットを送信機１４により送信する。このとき、タイマ１３のタイマ値は０にリセットされる（ステップＳ６３）。
【００６４】
次いで、移動局１は、基地局２から下りシグナリング（データパケット）を受信したか否かを確認し（ステップＳ６４）、受信していなければ（ステップＳ６４でＮｏなら）、タイマ１３のタイマ値が所定値Ｔ（Ｔは０以上の実数）未満か否かをチェックし（ステップＳ６５）、所定値Ｔ未満であれば（ステップＳ６５でＹｅｓなら）、当該タイマ値Ｔをインクリメント（進展）し（ステップＳ６６ａ）、以降、基地局２からの下りデータパケットの受信があるまでタイマ値をインクリメントしながら監視を続ける。なお、基地局２から下りデータパケットを受信しないままタイマ値が所定値Ｔに達した場合、移動局１は、基地局２に対して再送要求を送信し、タイマ１３のタイマ値を０にリセットする（ステップＳ６５のＮｏルートからステップＳ６７及びＳ６３）。
【００６５】
一方、基地局２からの下りデータパケットを受信した場合、移動局１は、その受信データパケットがACK又はNACKであるかをチェックし（ステップＳ６６ｂ）、NACKであれば、基地局２に対して再送要求を行ない（ステップＳ６７）、ACKであれば、次の送信データパケットがデータキュー１０に存在するか否かをチェックし（ステップＳ６８）、存在すれば当該データパケットの送信を行ない（ステップＳ６８のＹｅｓルートからステップＳ６２）、存在しなければ処理を終了する（ステップＳ６８のＮｏルート）。
【００６６】
つまり、移動局１は、基地局２から受信したデータパケットがACKであり、かつ、次の送信データがある場合に、スケジューリング情報を合わせて受け取っていれば、そのタイミングで次のデータを送信し、スケジューリング情報を受け取っていない場合には、送信要求から新たにやり直す。また、基地局２から受信したデータパケットがNACKであり、かつ、スケジューリング情報を合わせて受け取っていれば、そのタイミングで次のデータを送信する。
【００６７】
スケジューリング情報を受け取っていない、あるいは、タイマ期間（Ｔ）内に移動局１が何も受信していない（DTX）状態の場合には、移動局１は、送信要求から新たにやり直す。
換言すると、本例の移動局１は、受信機１５において、基地局２から上りデータの正常受信又は非正常受信を示す応答情報（ACK/NACK）とともにスケジューリング情報（上りデータ送信許可情報）を受信する応答・送信許可受信手段としての機能を有し、上りデータ送信手段としての送信機１４において、ACKとともにスケジューリング情報を受信すると、当該スケジューリング情報に従って次の上りデータパケットを送信し、NACKとともにスケジューリング情報を受信すると、当該スケジューリングに従って基地局２に対して上りデータ再送要求を送信し、また、基地局２から所定期間（Ｔ）内に下りデータパケットが受信されない場合には、基地局２に対して上りデータ再送要求を送信すべく構成されているのである。
【００６８】
なお、基地局２から受信したデータパケットがNACKの場合には、予め移動局１と基地局２（ネットワーク）との間で取り決めがあれば、上記スケジューリング情報を受け取っていなくても再送を行なうことも可能である。
以上のようにして、ACK又はNACKと、スケジューリング情報（次の送信許可情報）とが個別に移動局１に対して送信される場合に比して、上りデータ送信手順を簡略化することができ、上りデータ送信の遅延を削減して、スループットの向上を図ることが可能となる。
【００６９】
なお、本発明は、上述した実施形態に限定されず、本発明の趣旨を逸脱しない範囲で種々変形して実施できることはいうまでもない。
〔Ｄ〕付記
（付記１）
移動局と、当該移動局と無線により通信を行なう基地局とをそなえた移動通信システムにおいて、
該移動局が、該基地局から送信許可を得るべく該基地局へ送信要求を送信する際に該送信要求に、又は、該送信要求を送信するためのチャネルのチャネル確立要求を送信する際に該チャネル確立要求に、上りデータを付加して送信することを特徴とする、移動通信システムにおける通信方法。
【００７０】
（付記２）
該基地局が、
該移動局からの該上りデータを正常に受信したか否かを示す応答情報を該移動局へ送信する際に、該送信要求に対する送信可否の通知情報を付加して該移動局へ送信することを特徴とする、付記１記載の移動通信システムにおける通信方法。
【００７１】
（付記３）
移動局と、当該移動局と無線により通信を行なう基地局とをそなえた移動通信システムにおいて、
該基地局は、該移動局が上りデータ送信を行なうのに該基地局の許可が不要な第１のモードと、当該許可が必要な第２のモードとを有し、
該基地局が、該移動局との間の上り通信状態を監視し、当該上り通信状態が一定品質以上であれば前記第１のモードで動作し、該上り通信状態が一定品質未満であれば前記第２のモードで動作することを特徴とする、移動通信システムにおける通信方法。
【００７２】
（付記４）
該基地局は、
該第１のモードで動作中に、２以上の該移動局からの上りデータ送信の衝突が発生したか否かを監視し、前記衝突が発生した場合に、各移動局に対して上りデータ送信の再送タイミングを通知することを特徴とする、付記３記載の移動通信システムにおける通信方法。
【００７３】
（付記５）
該基地局は、該再送タイミングの通知により該移動局から上りデータ送信の再送が予測される一定期間には前記複数の移動局に対してビジー状態を報知することを特徴とする、付記４記載の移動通信システムにおける通信方法。
（付記６）
該移動局は、
該上りデータ送信を一定データ長の上りデータにより行なうことを特徴とする、付記４記載の移動通信システムにおける通信方法。
【００７４】
（付記７）
該上りデータは、前記複数の移動局を識別するためのユーザ識別部と、メッセージ本体であるデータ部とを有してなることを特徴とする、付記４記載の移動通信システムにおける通信方法。
（付記８）
該ユーザ識別部は、前記複数の移動局についてのユーザ識別情報を時間多重、又は、周波数分割多重、もしくは、符号分割多重して構成されることを特徴とする、付記７記載の移動通信システムにおける通信方法。
【００７５】
（付記９）
該移動局は、該データ部を該ユーザ識別部の情報により符号化することを特徴とする、付記７記載の移動通信システムにおける通信方法。
（付記１０）
該移動局は、該データ部に該ユーザ識別部の情報を挿入することを特徴とする、付記７記載の移動通信システムにおける通信方法。
【００７６】
（付記１１）
該基地局は、該ユーザ識別部から復号を行なうことを特徴とする、付記９記載の移動通信システムにおける通信方法。
（付記１２）
該基地局は、該データ部から復号を行なうことを特徴とする、付記１０記載の移動通信システムにおける通信方法。
【００７７】
（付記１３）
該基地局は、該ユーザ識別部及び該データ部を正しく復号できれば、正常受信を示す応答情報とともに次の上りデータ送信許可情報を該ユーザ識別部の情報により特定される移動局へ送信し、該ユーザ識別部を正しく復号でき該データ部を正しく復号できなければ、非正常受信を示す応答情報とともに次の上りデータ送信許可情報を該ユーザ識別部の情報により特定される移動局へ送信することを特徴とする、付記１１記載の移動通信システムにおける通信方法。
【００７８】
（付記１４）
該基地局は、該データ部を正しく復号できれば、正常受信を示す応答情報とともに次の上りデータ送信許可情報を、復号した情報を基に特定される移動局へ送信し、該ユーザ識別部を正しく復号でき該データ部を正しく復号できなければ、非正常受信を示す応答情報とともに次の上りデータ送信許可情報を該ユーザ識別部の情報により特定される移動局へ送信することを特徴とする、付記１２記載の移動通信システムにおける通信方法。
【００７９】
（付記１５）
該移動局は、該基地局から前記正常受信を示す応答情報とともに該上りデータ送信許可情報を受信すると、当該上りデータ送信許可情報に従って次の上りデータを送信し、該基地局から前記非正常受信を示す応答情報とともに該上りデータ送信許可情報を受信すると、当該上りデータ送信許可情報に従って該基地局に対して上りデータ再送要求を送信することを特徴とする、付記１３又は１４に記載の移動通信システムにおける通信方法。
【００８０】
（付記１６）
該移動局は、該基地局から所定期間内に下りデータを受信しない場合には、該基地局に対して上りデータ再送要求を送信することを特徴とする、付記１５記載の移動通信システムにおける通信方法。
（付記１７）
移動局と、当該移動局と無線により通信を行なう基地局とをそなえた移動通信システムにおける前記移動局であって、
該送信許可を得るべく該基地局へ送信要求を、又は、該送信要求を送信するためのチャネルのチャネル確立要求を送信する送信手段と、
該送信要求又は該チャネル確立要求に上りデータを付加する上りデータ付加手段とをそなえたことを特徴とする、移動通信システムにおける移動局。
【００８１】
（付記１８）
移動局と、当該移動局と無線により通信を行なう基地局とをそなえた移動通信システムにおける前記基地局であって、
該移動局からの該上りデータを正常に受信したか否かを示す応答情報を該移動局へ送信する応答情報送信手段と、
該応答情報に該送信要求に対する送信可否の通知情報を付加する通知情報付加手段とをそなえたことを特徴とする、移動通信システムにおける基地局。
【００８２】
（付記１９）
移動局と、当該移動局と無線により通信を行なう基地局とをそなえた移動通信システムにおける前記基地局であって、
該移動局が上りデータ送信を行なうのに該基地局の許可が不要な第１のモードと、当該許可が必要な第２のモードとを有するとともに、
該移動局との間の上り通信状態を監視する上り通信状態監視手段と、
該上り通信状態監視手段により監視された該上り通信状態が一定品質以上であるか否かを判定する判定手段と、
該判定手段で該上り通信状態が一定品質以上であると判定されると、前記第１のモードを動作モードとして選択し、該判定手段で該上り通信状態が一定品質未満であると判定されると、前記第２のモードを動作モードとして選択するモード選択手段とをそなえたことを特徴とする、移動通信システムにおける基地局。
【００８３】
（付記２０）
前記第１のモードで動作中に、２以上の該移動局からの上りデータ送信の衝突が発生したか否かを監視する上りデータ衝突監視手段と、
該上りデータ衝突監視手段により前記衝突の発生が確認されると各移動局に対して上りデータ送信の再送タイミングを通知する再送タイミング通知手段とをそなえたことを特徴とする、付記１９記載の移動通信システムにおける基地局。
【００８４】
（付記２１）
該再送タイミング通知手段による該再送タイミングの通知によって該移動局から上りデータ送信の再送が予測される一定期間、前記複数の移動局に対してビジー状態を報知するビジー状態報知手段をさらにそなえたことを特徴とする、付記２０記載の移動通信システムにおける基地局。
【００８５】
（付記２２）
該移動局を識別するためのユーザ識別部とメッセージ本体であるデータ部とを有し該移動局において該ユーザ識別部の情報で該データ部を符号化して送信された上りデータを受信する受信手段と、
該受信手段で受信した上りデータを該ユーザ識別部から復号する復号手段とをそなえたことを特徴とする、付記２０又は２１に記載の移動通信システムにおける基地局。
【００８６】
（付記２３）
該移動局を識別するためのユーザ識別部とメッセージ本体であるデータ部とを有し該移動局において該ユーザ識別部の情報を該データ部に挿入して送信された上りデータを受信する受信手段と、
該受信手段で受信した上りデータを該データ部から復号する復号手段とをそなえたことを特徴とする、付記２０又は２１に移動通信システムにおける基地局。
【００８７】
（付記２４）
該復号手段により該ユーザ識別部及び該データ部を正しく復号できれば、正常受信を示す応答情報とともに次の上りデータ送信許可情報を該ユーザ識別部の情報により特定される移動局へ送信する応答・送信許可送信手段をそなえたことを特徴とする、付記２２記載の移動通信システムにおける基地局。
【００８８】
（付記２５）
該応答・送信許可送信手段が、
該復号手段により該ユーザ識別部を正しく復号でき該データ部を正しく復号できなければ、非正常受信を示す応答情報とともに次の上りデータ送信許可情報を該ユーザ識別部の情報により特定される移動局へ送信すべく構成されたことを特徴とする、付記２４記載の移動通信システムにおける基地局。
【００８９】
（付記２６）
該復号手段により該データ部を正しく復号できれば、正常受信を示す応答情報とともに次の上りデータ送信許可情報を、復号した情報を基に特定される移動局へ送信する応答・送信許可送信手段をそなえたことを特徴とする、付記２３記載の移動通信システムにおける基地局。
【００９０】
（付記２７）
該応答・送信許可送信手段が、
該ユーザ識別部を正しく復号でき該データ部を正しく復号できなければ、非正常受信を示す応答情報とともに次の上りデータ送信許可情報を該ユーザ識別部の情報により特定される移動局へ送信すべく構成されたことを特徴とする、付記２６記載の移動通信システムにおける基地局。
【００９１】
（付記２８）
複数の移動局と、当該移動局と無線により通信を行なう基地局とをそなえ、該基地局において２以上の該移動局からの上りデータ送信の衝突が発生した場合に、該基地局が当該移動局に対して上りデータ送信の再送タイミングを通知する移動通信システムにおける前記移動局であって、
前記複数の移動局を識別するためのユーザ識別部と、メッセージ本体であるデータ部とを有する上りデータを生成する上りデータ生成手段と、
該上りデータ生成手段により生成した上りデータを該基地局へ送信する上りデータ送信手段とをそなえたことを特徴とする、移動通信システムにおける移動局。
【００９２】
（付記２９）
該上りデータ生成手段が、
一定データ長で該上りデータを生成すべく構成されたことを特徴とする、付記２８記載の移動通信システムにおける移動局。
（付記３０）
該上りデータ生成手段が、
該データ部を該ユーザ識別部の情報により符号化する符号化手段をそなえたことを特徴とする、付記２８又は２９に記載の移動通信システムにおける移動局。
【００９３】
（付記３１）
該上りデータ生成手段が、
該データ部に該ユーザ識別部の情報を挿入する挿入手段をそなえたことを特徴とする、付記２８又は２９に記載の移動通信システムにおける移動局。
（付記３２）
該基地局から該上りデータの正常受信又は非正常受信を示す応答情報とともに上りデータ送信許可情報を受信する応答・送信許可受信手段をそなえ、
該上りデータ送信手段が、
該応答・送信許可受信手段で前記正常受信を示す応答情報とともに該上りデータ送信許可情報を受信すると、当該上りデータ送信許可情報に従って次の上りデータを送信し、前記非正常受信を示す応答情報とともに該上りデータ送信許可情報を受信すると、当該上りデータ送信許可情報に従って該基地局に対して上りデータ再送要求を送信すべく構成されたことを特徴とする、付記２８〜３１のいずれか１項に記載の移動通信システムにおける移動局。
【００９４】
（付記３３）
該上りデータ送信手段が、
該基地局から所定期間内に下りデータが受信されない場合には、該基地局に対して上りデータ再送要求を送信すべく構成されたことを特徴とする、付記３２記載の移動通信システムにおける移動局。
【符号の説明】
【００９５】
１，１−１〜１−ｎ  移動局
１０  データキュー
１１  ACK/NACK/DTX判定部
１２  再送バッファ
１３  タイマ
１４  送信機
１５  受信機
１６  復調部
１７  スケジューリング情報送信部
１８  シグネチャ生成部
２  基地局
２０  受信機
２１  CRC確認及びACK/NACK判定部
２２  スケジューリング情報（ＳＩ）分離部
２３  スケジューラ
２４  送信機
２５  シグネチャ分離部
２６  データ部分離部
２７  乗算器
２８  ユーザ識別情報分離部
２９  比較部
５  ユーザ識別部
６  データ部
１４１，１４２  乗算器
２３１  上り通信状態監視手段
２３２  判定手段
２３３  モード選択手段
【図１】
2010213337.tif 000003
【図２】
2010213337.tif 000004
【図３】
2010213337.tif 000005
【図４】
2010213337.tif 000006
【図５】
2010213337.tif 000007
【図６】
2010213337.tif 000008
【図７】
2010213337.tif 000009
【図８】
2010213337.tif 000010
【図９】
2010213337.tif 000011
【図１０】
2010213337.tif 000012
【図１１】
2010213337.tif 000013
【図１２】
2010213337.tif 000014
【図１３】
2010213337.tif 000015
【図１４】
2010213337.tif 000016
【図１５】
2010213337.tif 000017
【図１６】
2010213337.tif 000018
【図１７】
2010213337.tif 000019
【図１８】
2010213337.tif 000020
【図１９】
2010213337.tif 000021
【図２０】
2010213337.tif 000022
【図２１】
2010213337.tif 000023
【図２２】
2010213337.tif 000024
【図２３】
2010213337.tif 000025
【図２４】
2010213337.tif 000026
【図２５】
2010213337.tif 000027